(57)【要約】本発明は、無線通信システムの移動端末における一対多サービスデータの結合方法に関する。ＭＡＣエンティティにおいて現在セルのＭＢＭＳサービスデータを受信し、ＭＡＣエンティティにおいて隣接セルから同一のＭＢＭＳサービスデータを同時に受信する移動端末が、前記受信されたデータのうちＭＢＭＳに関連していないデータを廃棄する。従って、異なるセルから同時にＭＢＭＳサービスを受信する前記端末の不要な動作が最小になり、これにより、移動端末が前記ＭＢＭＳサービスを効果的に受信できる。
2008503173.tif 000002
【特許請求の範囲】
【請求項１】
共用チャネルと共有チャネルの少なくとも１つ、及び第１一対多チャネルを処理できる第１媒体アクセス制御エンティティが第１セルの一対多サービスデータを受信及び処理する段階と、
第２一対多チャネルのみを処理できる第２媒体アクセス制御エンティティが第２セルから同一の一対多サービスデータを同時に受信及び処理する段階と、
前記処理された前記第１セルの一対多サービスデータを前記第１媒体アクセス制御エンティティから無線リンク制御器に提供する段階と、
前記処理された前記第２セルの一対多サービスデータを前記第２媒体アクセス制御エンティティから無線リンク制御器に提供する段階と、
前記無線リンク制御器が前記処理された第１セルの一対多サービスデータと前記処理された第２セルの一対多サービスデータを結合する段階と
を含むことを特徴とする無線通信システムの移動端末における一対多サービスデータの結合方法。
【請求項２】
前記第１媒体アクセス制御エンティティは、ＭＡＣ−ｃ／ｓｈ／ｍであることを特徴とする請求項１に記載の無線通信システムの移動端末における一対多サービスデータの結合方法。
【請求項３】
前記第２媒体アクセス制御エンティティは、ＭＡＣ−ｍエンティティであることを特徴とする請求項１に記載の無線通信システムの移動端末における一対多サービスデータの結合方法。
【請求項４】
前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記第２一対多チャネルのみを処理できる前記移動端末の第２媒体アクセス制御エンティティに伝送されることを特徴とする請求項１に記載の無線通信システムの移動端末における一対多サービスデータの結合方法。
【請求項５】
前記共用チャネルと共有チャネルの少なくとも１つ、及び前記第１一対多チャネルを処理できる前記第１媒体アクセス制御エンティティは、専用チャネルを処理できる第３媒体アクセス制御エンティティに接続され、
前記第２一対多チャネルのみを処理できる第２媒体アクセス制御エンティティは、専用チャネルを処理できる前記第３媒体アクセス制御エンティティに接続されないことを特徴とする請求項１に記載の無線通信システムの移動端末における一対多サービスデータの結合方法。
【請求項６】
前記第３媒体アクセス制御エンティティは、ＭＡＣ−ｄエンティティであることを特徴とする請求項５に記載の無線通信システムの移動端末における一対多サービスデータの結合方法。
【請求項７】
前記第１媒体アクセス制御エンティティは、アップリンクチャネル及びダウンリンクチャネルをサポートできることを特徴とする請求項１に記載の無線通信システムの移動端末における一対多サービスデータの結合方法。
【請求項８】
前記第２媒体アクセス制御エンティティは、ダウンリンクチャネルをサポートできることを特徴とする請求項１に記載の無線通信システムの移動端末における一対多サービスデータの結合方法。
【請求項９】
前記第１媒体アクセス制御エンティティは、移動端末ＩＤを処理できることを特徴とする請求項１に記載の無線通信システムの移動端末における一対多サービスデータの結合方法。
【請求項１０】
前記第２媒体アクセス制御エンティティは、移動端末ＩＤを処理できないことを特徴とする請求項１に記載の無線通信システムの移動端末における一対多サービスデータの結合方法。
【請求項１１】
共用チャネルと共有チャネルの少なくとも１つを処理できる第１媒体アクセス制御エンティティが第１セルの一対多サービスデータを受信及び処理する段階と、
第１一対多チャネルのみを処理できる第２媒体アクセス制御エンティティが前記第１セルの一対多サービスデータを受信及び処理する段階と、
第２一対多チャネルのみを処理できる第３媒体アクセス制御エンティティが第２セルから同一の一対多サービスデータを同時に受信及び処理する段階と、
前記処理された第１セルの一対多サービスデータを前記第２媒体アクセス制御エンティティから無線リンク制御器に提供する段階と、
前記処理された第２セルの一対多サービスデータを前記第３媒体アクセス制御エンティティから前記無線リンク制御器に提供する段階と、
前記無線リンク制御器が前記処理された第１セルの一対多サービスデータと前記処理された第２セルの一対多サービスデータを結合する段階と
を含むことを特徴とする無線通信システムの移動端末における一対多サービスデータの結合方法。
【請求項１２】
前記第１媒体アクセス制御エンティティは、ＭＡＣ−ｃ／ｓｈエンティティであることを特徴とする請求項１１に記載の無線通信システムの移動端末における一対多サービスデータの結合方法。
【請求項１３】
前記第２媒体アクセス制御エンティティはＭＡＣ−ｍエンティティであり、前記第３媒体アクセス制御エンティティはＭＡＣ−ｍエンティティであることを特徴とする請求項１１に記載の無線通信システムの移動端末における一対多サービスデータの結合方法。
【請求項１４】
前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記第２一対多チャネルのみを処理できる前記移動端末の第３媒体アクセス制御エンティティに伝送されることを特徴とする請求項１１に記載の無線通信システムの移動端末における一対多サービスデータの結合方法。
【請求項１５】
前記共用チャネルと共有チャネルの少なくとも１つ、及び前記第１一対多チャネルを処理できる前記第１媒体アクセス制御エンティティは、専用チャネルを処理できる第４媒体アクセス制御エンティティに接続され、
前記第２媒体アクセス制御エンティティ及び第３媒体アクセス制御エンティティは、専用チャネルを処理できる前記第４媒体アクセス制御エンティティに接続されないことを特徴とする請求項１１に記載の無線通信システムの移動端末における一対多サービスデータの結合方法。
【請求項１６】
前記第４媒体アクセス制御エンティティは、ＭＡＣ−ｄであることを特徴とする請求項１５に記載の無線通信システムの移動端末における一対多サービスデータの結合方法。
【請求項１７】
前記第１媒体アクセス制御エンティティは、アップリンクチャネル及びダウンリンクチャネルをサポートできることを特徴とする請求項１１に記載の無線通信システムの移動端末における一対多サービスデータの結合方法。
【請求項１８】
前記第２媒体アクセス制御エンティティ及び第３媒体アクセス制御エンティティは、ダウンリンクチャネルをサポートできることを特徴とする請求項１１に記載の無線通信システムの移動端末における一対多サービスデータの結合方法。
【請求項１９】
前記第１媒体アクセス制御エンティティは、移動端末ＩＤを処理できることを特徴とする請求項１１に記載の無線通信システムの移動端末における一対多サービスデータの結合方法。
【請求項２０】
前記第２媒体アクセス制御エンティティ及び第３媒体アクセス制御エンティティは、移動端末ＩＤを処理できないことを特徴とする請求項１１に記載の無線通信システムの移動端末における一対多サービスデータの結合方法。
【請求項２１】
共用チャネルと共有チャネルの少なくとも１つ、及び第１一対多チャネルを処理できる第１媒体アクセス制御エンティティが第１セルの一対多サービスデータを受信及び処理する段階と、
共用チャネルと共有チャネルの少なくとも１つ、及び第２一対多チャネルを処理できる第２媒体アクセス制御エンティティが第２セルから同一の一対多サービスデータを同時に受信及び処理する段階と、
前記第２媒体アクセス制御エンティティが前記第２一対多チャネルに処理を制限するための制限命令を受信する段階と、
前記制限命令によって前記第２セルからの一対多サービスデータを処理する段階と、
前記処理された第１セルの一対多サービスデータを前記第１媒体アクセス制御エンティティから無線リンク制御器に提供する段階と、
前記処理された第２セルの一対多サービスデータを前記第２媒体アクセス制御エンティティから前記無線リンク制御器に提供する段階と、
前記無線リンク制御器が前記処理された第１セルの一対多サービスデータと前記処理された第２セルの一対多サービスデータを結合する段階と
を含むことを特徴とする無線通信システムの移動端末における一対多サービスデータの結合方法。
【請求項２２】
前記第１媒体アクセス制御エンティティは、ＭＡＣ−ｃ／ｓｈ／ｍエンティティであることを特徴とする請求項２１に記載の無線通信システムの移動端末における一対多サービスデータの結合方法。
【請求項２３】
前記第２媒体アクセス制御エンティティは、ＭＡＣ−ｃ／ｓｈ／ｍエンティティであることを特徴とする請求項２１に記載の無線通信システムの移動端末における一対多サービスデータの結合方法。
【請求項２４】
前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記共用チャネルと共有チャネルの少なくとも１つ、及び前記第２一対多チャネルを処理できる前記移動端末の第２媒体アクセス制御エンティティに伝送されることを特徴とする請求項２１に記載の無線通信システムの移動端末における一対多サービスデータの結合方法。
【請求項２５】
共用チャネルと共有チャネルの少なくとも１つ、及び前記第１一対多チャネルを処理できる前記第１媒体アクセス制御エンティティは、専用チャネルを処理できる第３媒体アクセス制御エンティティに接続され、
共用チャネルと共有チャネルの少なくとも１つ、及び前記第２一対多チャネルを処理できる前記第２媒体アクセス制御エンティティは、専用チャネルを処理できる前記第３媒体アクセス制御エンティティに接続されないことを特徴とする請求項２１に記載の無線通信システムの移動端末における一対多サービスデータの結合方法。
【請求項２６】
前記第３媒体アクセス制御エンティティは、ＭＡＣ−ｄエンティティであることを特徴とする請求項２５に記載の無線通信システムの移動端末における一対多サービスデータの結合方法。
【請求項２７】
前記第１媒体アクセス制御エンティティは、アップリンクチャネル及びダウンリンクチャネルをサポートできることを特徴とする請求項２１に記載の無線通信システムの移動端末における一対多サービスデータの結合方法。
【請求項２８】
前記第２媒体アクセス制御エンティティは、ダウンリンクチャネルをサポートできることを特徴とする請求項２１に記載の無線通信システムの移動端末における一対多サービスデータの結合方法。
【請求項２９】
前記第１媒体アクセス制御エンティティは、移動端末ＩＤを処理できることを特徴とする請求項２１に記載の無線通信システムの移動端末における一対多サービスデータの結合方法。
【請求項３０】
前記第２媒体アクセス制御エンティティは、移動端末ＩＤを処理できないことを特徴とする請求項２１に記載の無線通信システムの移動端末における一対多サービスデータの結合方法。
【請求項３１】
共用チャネルと共有チャネルの少なくとも１つ、及び一対多チャネルを処理できる媒体アクセス制御エンティティが第１セルの一対多サービスデータを受信及び処理する段階と、
前記媒体アクセス制御エンティティが第２セルから同一の一対多サービスデータを同時に受信及び処理する段階と、
前記媒体アクセス制御エンティティが前記第２セルの一対多サービスデータに対する処理を前記一対多チャネルに制限するための制限命令を受信する段階と、
前記制限命令によって前記第２セルからの一対多サービスデータを処理する段階と、
前記処理された第１セルの一対多サービスデータを無線リンク制御器に提供する段階と、
前記処理された第２セルの一対多サービスデータを前記無線リンク制御器に提供する段階と、
前記無線リンク制御器が前記処理された第１セルの一対多サービスデータと前記処理された第２セルの一対多サービスデータとを結合する段階と
を含むことを特徴とする無線通信システムの移動端末における一対多サービスデータの結合方法。
【請求項３２】
前記媒体アクセス制御エンティティは、ＭＡＣ−ｃ／ｓｈ／ｍエンティティであることを特徴とする請求項３１に記載の無線通信システムの移動端末における一対多サービスデータの結合方法。
【請求項３３】
前記第２セルからの一対多サービスデータは、ネットワーク共用チャネルとネットワーク共有チャネルの少なくとも１つ、及び一対多チャネルを処理できるネットワークの媒体アクセス制御エンティティから、前記共用チャネルと共有チャネルの少なくとも１つ、及び前記一対多チャネルを処理できる前記移動端末の媒体アクセス制御エンティティに伝送されることを特徴とする請求項３１に記載の無線通信システムの移動端末における一対多サービスデータの結合方法。
【請求項３４】
前記共用チャネルと共有チャネルの少なくとも１つ、及び前記第１一対多チャネルを処理できる媒体アクセス制御エンティティは、専用チャネルを処理できる第２媒体アクセス制御エンティティに接続されることを特徴とする請求項３１に記載の無線通信システムの移動端末における一対多サービスデータの結合方法。
【請求項３５】
前記第２媒体アクセス制御エンティティは、ＭＡＣ−ｄエンティティであることを特徴とする請求項３４に記載の無線通信システムの移動端末における一対多サービスデータの結合方法。
【請求項３６】
前記媒体アクセス制御エンティティは、アップリンクチャネル及びダウンリンクチャネルをサポートできることを特徴とする請求項３１に記載の無線通信システムの移動端末における一対多サービスデータの結合方法。
【請求項３７】
前記媒体アクセス制御エンティティは、ダウンリンクチャネルをサポートできることを特徴とする請求項３１に記載の無線通信システムの移動端末における一対多サービスデータの結合方法。
【請求項３８】
前記媒体アクセス制御エンティティは、移動端末ＩＤを処理できることを特徴とする請求項３１に記載の無線通信システムの移動端末における一対多サービスデータの結合方法。
【請求項３９】
前記媒体アクセス制御エンティティは、移動端末ＩＤを処理できないことを特徴とする請求項３１に記載の無線通信システムの移動端末における一対多サービスデータの結合方法。
【請求項４０】
第１一対多チャネルを処理できる第１媒体アクセス制御エンティティを介して第１セルの一対多サービスデータを伝送する段階と、
第２一対多チャネルを処理できる第２媒体アクセス制御エンティティを介して第２セルから同一の一対多サービスデータを同時に伝送する段階と
を含むことを特徴とする無線通信システムにおける一対多サービスデータ伝送方法。
【請求項４１】
前記第１媒体アクセス制御エンティティ及び第２媒体アクセス制御エンティティは、ＭＡＣ−ｍエンティティであることを特徴とする請求項４０に記載の無線通信システムにおける一対多サービスデータ伝送方法。
【請求項４２】
共用チャネルと共有チャネルの少なくとも１つ、及び第１一対多チャネルを処理できる第１媒体アクセス制御エンティティが第１セルの一対多サービスデータを受信及び処理するための手段と、
第２一対多チャネルのみを処理できる第２媒体アクセス制御エンティティが第２セルから同一の一対多サービスデータを同時に受信及び処理するための手段と、
前記処理された第１セルの一対多サービスデータを前記第１媒体アクセス制御エンティティから無線リンク制御器に提供するための手段と、
前記処理された第２セルの一対多サービスデータを前記第２媒体アクセス制御エンティティから前記無線リンク制御器に提供するための手段と、
前記無線リンク制御器が前記処理された第１セルの一対多サービスデータと前記処理された第２セルの一対多サービスデータとを結合するための手段と
を含むことを特徴とする無線通信システムの一対多サービスデータの結合のための移動端末。
【請求項４３】
共用チャネルと共有チャネルの少なくとも１つを処理できる第１媒体アクセス制御エンティティが第１セルの一対多サービスデータを受信及び処理するための手段と、
第１一対多チャネルのみを処理できる第２媒体アクセス制御エンティティが前記第１セルの一対多サービスデータを受信及び処理するための手段と、
第２一対多チャネルのみを処理できる第３媒体アクセス制御エンティティが第２セルから同一の一対多サービスデータを同時に受信及び処理するための手段と、
前記処理された第１セルの一対多サービスデータを前記第２媒体アクセス制御エンティティから無線リンク制御器に提供するための手段と、
前記処理された第２セルの一対多サービスデータを前記第３媒体アクセス制御エンティティから前記無線リンク制御器に提供するための手段と、
前記無線リンク制御器が前記処理された第１セルの一対多サービスデータと前記処理された第２セルの一対多サービスデータとを結合するための手段と
を含むことを特徴とする無線通信システムの一対多サービスデータの結合のための移動端末。
【請求項４４】
共用チャネルと共有チャネルの少なくとも１つ、及び第１一対多チャネルを処理できる第１媒体アクセス制御エンティティが第１セルの一対多サービスデータを受信及び処理するための手段と、
共用チャネルと共有チャネルの少なくとも１つ、及び第２一対多チャネルを処理できる第２媒体アクセス制御エンティティが第２セルから同一の一対多サービスデータを受信及び処理するための手段と、
前記第２媒体アクセス制御エンティティが前記第２一対多チャネルに処理を制限するための制限命令を受信するための手段と、
前記制限命令によって前記第２セルからの一対多サービスデータを処理するための手段と、
前記処理された第１セルの一対多サービスデータを前記第１媒体アクセス制御エンティティから無線リンク制御器に提供するための手段と、
前記処理された第２セルの一対多サービスデータを前記第２媒体アクセス制御エンティティから前記無線リンク制御器に提供するための手段と、
前記無線リンク制御器が前記処理された第１セルの一対多サービスデータと前記処理された第２セルの一対多サービスデータとを結合するための手段と
を含むことを特徴とする無線通信システムの一対多サービスデータの結合のための移動端末。
【請求項４５】
共用チャネルと共有チャネルの少なくとも１つ、及び一対多チャネルを処理できる媒体アクセス制御エンティティが第１セルの一対多サービスデータを受信及び処理するための手段と、
前記媒体アクセス制御エンティティが第２セルから同一の一対多サービスデータを同時に受信及び処理するための手段と、
前記媒体アクセス制御エンティティが前記第２セルの一対多サービスデータに対する処理を前記一対多チャネルに制限するための制限命令を受信するための手段と、
前記制限命令によって前記第２セルからの一対多サービスデータを処理するための手段と、
前記処理された第１セルの一対多サービスデータを無線リンク制御器に提供するための手段と、
前記処理された第２セルの一対多サービスデータを無線リンク制御器に提供するための手段と、
前記無線リンク制御器が前記処理された第１セルの一対多サービスデータと前記処理された第２セルの一対多サービスデータとを結合するための手段と
を含むことを特徴とする無線通信システムの一対多サービスデータの結合のための移動端末。
【発明の詳細な説明】
【技術分野】
【０００１】
本発明は、無線通信システムのマルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：ＭＢＭＳ）に関し、より詳しくは、媒体アクセス制御（Ｍｅｄｉｕｍ  Ａｃｃｅｓｓ  Ｃｏｎｔｒｏｌ：ＭＡＣ）エンティティ構造を利用する移動端末においてＭＢＭＳを結合する方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した無線通信サービスの提供を目標とする。
【０００３】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）というプロジェクトを構成し、現在もＵＭＴＳ技術の詳細な標準仕様（Ｓｐｅｃｉｆｉｃａｔｉｏｎ）を作成中である。ＵＭＴＳの効果的で迅速な技術開発のために、３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：ＴＳＧ）に分けて進めている。
【０００４】
各ＴＳＧは、関連したエリア内で標準規格の開発、承認、及びその管理を担当するが、そのうち、無線アクセスネットワーク（Ｒａｄｉｏ  Ａｃｃｅｓｓ  Ｎｅｔｗｏｒｋ：ＲＡＮ）グループ（ＴＳＧ  ＲＡＮ）は、ＵＭＴＳにおいてＷＣＤＭＡ接続技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００５】
図１は、従来のＵＭＴＳネットワーク構造１を示す図である。移動端末又はユーザ装置（ＵＥ）１０は、ＵＴＲＡＮ１００を介してコアネットワーク２００に接続され、前記ＵＴＲＡＮ１００は、前記ＵＥ１０と前記コアネットワーク２００間の通信のための無線接続ベアラ（Ｒａｄｉｏ  Ａｃｃｅｓｓ  Ｂｅａｒｅｒ：ＲＡＢ）を設定して維持及び管理し、エンドツーエンドサービス品質（ＱｏＳ）要求事項を充足させる。
【０００６】
前記ＵＴＲＡＮ１００は、複数の無線ネットワークサブシステム（Ｒａｄｉｏ  Ｎｅｔｗｏｒｋ  Ｓｕｂｓｙｓｔｅｍｓ：ＲＮＳ）１１０、１２０を含み、各ＲＮＳは、複数の基地局（又は、Ｎｏｄｅ  Ｂ）１１２のための１つの無線ネットワーク制御装置（Ｒａｄｉｏ  Ｎｅｔｗｏｒｋ  Ｃｏｎｔｒｏｌｌｅｒ：ＲＮＣ）１１１を含む。所定の基地局１１２に接続したＲＮＣ１１１は、１つのセル内で動作する前記ＵＥ１０に提供される共有リソースの割り当て及び管理を担当する制御ＲＮＣを意味する。１つのＮｏｄｅ  Ｂには、１つ以上のセルが存在する。前記制御ＲＮＣ１１１は、トラヒックロード、セル輻輳（ｃｏｎｇｅｓｔｉｏｎ）、及び新しい無線リンクの承認を制御する。各Ｎｏｄｅ  Ｂ１１２は、前記ＵＥ１０からアップリンク信号を受信し、前記ＵＥ１０にダウンリンク信号を伝送する。各Ｎｏｄｅ  Ｂ１１２は、前記ＵＥ１０と前記ＵＴＲＡＮ１００を接続するアクセスポイントの役割を果たし、前記ＲＮＣ１１１は、該当Ｎｏｄｅ  Ｂと前記コアネットワーク２００を接続するためのアクセスポイントの役割を果たす。
【０００７】
前記ＵＴＲＡＮ１００の無線ネットワークサブシステム１１０、１２０のうち、サービングＲＮＣ１１１は、特定ＵＥ１０にサービスを提供するための専用無線リソースを管理するＲＮＣであり、前記特定ＵＥ１０にデータを送信するための前記コアネットワーク２００とのアクセスポイントである。前記ＵＥ１０に接続された全てのＲＮＣ１１１がドリフト（ｄｒｉｆｔ）ＲＮＣであるため、前記ＵＴＲＡＮ１００を介して前記ＵＥと前記コアネットワーク２００を接続するサービングＲＮＣ１０は１つのみ存在する。前記ドリフトＲＮＣ１１１は、ユーザデータのルーティングを容易にし、共有リソースとして符号を割り当てる。
【０００８】
前記ＵＥ１０と前記ＵＴＲＡＮ１００間のインタフェースは、無線アクセスネットワーク規格に準拠して設定された無線インタフェースプロトコルにより実現されるが、この無線インタフェースプロトコルは、例えば、３ＧＰＰ規格で説明された物理層（Ｌ１）、データリンク層（Ｌ２）、及びネットワーク層（Ｌ３）からなる。これらの層は、通信システムにおいて公知の開放型システム間相互接続（ＯＳＩ）参照モデルの下位３層に基づく。
【０００９】
図２は、従来の無線インタフェースプロトコルの構造を示す。図２に示すように、前記無線インタフェースプロトコルは、水平的には、物理層と、データリンク層と、ネットワーク層とに区分され、垂直的には、音声信号及びＩＰパケット送信などのデータトラヒックを転送するためのユーザプレーンと、インタフェースの維持及び管理のための制御情報を転送するための制御プレーンとに区分される。
【００１０】
物理層（ＰＨＹ）は、上位層に情報転送サービスを提供し、媒体アクセス制御（ＭＡＣ）層とはトランスポートチャネル（Ｔｒａｎｓｐｏｒｔ  Ｃｈａｎｎｅｌ）で接続される。前記ＭＡＣ層と前記物理層間は、トランスポートチャネルを介してデータを交換する。前記トランスポートチャネルは、チャネルが共有されるか否かによって、専用トランスポートチャネル及び共用トランスポートチャネルに区分される。また、データ伝送は、相異なる物理層間、すなわち、送信側（送信機）と受信側（送信機）の物理層間で物理チャネルを介して行われる。
【００１１】
第２層のＭＡＣ層は、論理チャネルで上位層であるＲＬＣ（Ｒａｄｉｏ  Ｌｉｎｋ  Ｃｏｎｔｒｏｌ）層にサービスを提供する。前記ＲＬＣ層は信頼できるデータ伝送をサポートし、上位層から伝送された複数のＲＬＣサービスデータユニット（ＲＬＣ  ＳＤＵ）を分割及び連結する機能を行う。
【００１２】
第３層Ｌ３の最下部に位置するＲＲＣ（Ｒａｄｉｏ  Ｒｅｓｏｕｒｃｅ  Ｃｏｎｔｒｏｌ）層は、制御プレーンにおいてのみ定義され、無線ベアラ（ＲＢ）の設定、再設定、及び解除に関連して論理チャネル、トランスポートチャネル、及び物理チャネルの制御を担当する。ここで、前記無線ベアラサービスとは、端末とＵＴＲＡＮ間のデータ伝送のために第２層Ｌ２により提供されるサービスを意味する。一般に、ＲＢの設定とは、特定サービスを提供するために必要なプロトコル層及びチャネルの特性を規定し、それぞれの具体的なパラメータ及び動作方法を設定することである。
【００１３】
ＭＢＭＳは、以下のとおりＵＭＴＳシステムにおいて実現される。ＭＢＭＳとは、ダウンリンク専用ＭＢＭＳベアラサービスを利用して複数の端末にストリーミング又はバックグラウンドサービスを提供する方法をいう。１つのＭＢＭＳサービスは、１つ以上のセッションを含み、ＭＢＭＳデータは、セッション中にのみＭＢＭＳベアラサービスにより複数の端末に伝送される。
【００１４】
前記ＵＴＲＡＮ１００は、ＲＢを使用して前記端末にＭＢＭＳベアラサービスを提供する。前記ＵＴＲＡＮ１００により使用されるＲＢは、一対一（ｐｏｉｎｔ−ｔｏ−ｐｏｉｎｔ）ＲＢと一対多（ｐｏｉｎｔ−ｔｏ−ｍｕｌｔｉｐｏｉｎｔ）ＲＢに分類される。前記一対一ＲＢは、双方向ＲＢ（ｂｉ−ｄｉｒｅｃｔｉｏｎａｌ  ＲＢ）であり、論理チャネルＤＴＣＨ（Ｄｅｄｉｃａｔｅｄ  Ｔｒａｆｆｉｃ  Ｃｈａｎｎｅｌ）、トランスポートチャネルＤＣＨ（Ｄｅｄｉｃａｔｅｄ  Ｃｈａｎｎｅｌ）、並びに物理チャネルＤＰＣＨ（Ｄｅｄｉｃａｔｅｄ  Ｐｈｙｓｉｃａｌ  Ｃｈａｎｎｅｌ）もしくは物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。
【００１５】
一対多ＲＢは、単方向ダウンリンクＲＢ（ｕｎｉ−ｄｉｒｅｃｔｉｏｎａｌ  ｄｏｗｎｌｉｎｋ  ＲＢ）であり、図３に示すように、論理チャネルＭＴＣＨ（ＭＢＭＳ  Ｔｒａｆｆｉｃ  Ｃｈａｎｎｅｌ）、トランスポートチャネルＦＡＣＨ（Ｆｏｒｗａｒｄ  Ａｃｃｅｓｓ  Ｃｈａｎｎｅｌ）、及び物理チャネルＳＣＣＰＣＨを含む。前記論理チャネルＭＴＣＨは、１つのセルに提供されるそれぞれのＭＢＭＳサービス毎に設定され、特定ＭＢＭＳサービスのユーザプレーンデータを複数の端末に伝送するために使用される。
【００１６】
図３は、一対多ＲＢのチャネルマッピング構造を示す図である。論理チャネルＭＣＣＨ（ＭＢＭＳ  Ｃｏｎｔｒｏｌ  Ｃｈａｎｎｅｌ）は、一対多ダウンリンクチャネルであり、ＭＢＭＳに関する制御情報を伝送するために使用される。前記論理チャネルＭＣＣＨは、トランスポートチャネルＦＡＣＨにマッピングされ、該トランスポートチャネルＦＡＣＨは、物理チャネルＳＣＣＰＣＨにマッピングされる。１つのセルには１つのＭＣＣＨのみが存在する。
【００１７】
図４は、ＭＢＭＳを管理する移動端末とＵＴＲＡＮ間のＭＡＣ層の構造を示す図である。図４に示すように、ＭＡＣ−ｃ／ｓｈ／ｍサブレイヤ（以下、ＭＡＣ−ｃ／ｓｈ／ｍという）は、次の３つの機能を実行する。
【００１８】
第１に、ＭＡＣ−ｃ／ｓｈ／ｍは、ＣＣＣＨ（Ｃｏｍｍｏｎ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＢＣＣＨ（Ｂｒｏａｄｃａｓｔ  Ｃｏｎｔｒｏｌ  Ｃｈａｎｎｅｌ）、及びＰＣＣＨ（Ｐａｇｉｎｇ  Ｃｏｎｔｒｏｌ  Ｃｈａｎｎｅｌ）などのセル領域内の全ての端末が受信できる共用論理チャネル（Ｃｏｍｍｏｎ  Ｌｏｇｉｃａｌ  Ｃｈａｎｎｅｌ）がマッピングされるＰＣＨ（Ｐａｇｉｎｇ  Ｃｈａｎｎｅｌ）、ＦＡＣＨ、及びＲＡＣＨ（Ｒａｎｄｏｍ  Ａｃｃｅｓｓ  Ｃｈａｎｎｅｌ）などのトランスポートチャネルを管理する。第２に、ＭＡＣ−ｃ／ｓｈ／ｍは、トランスポートチャネルＤＳＣＨ（Ｄｏｗｎｌｉｎｋ  Ｓｈａｒｅｄ  Ｃｈａｎｎｅｌ）を管理する。第３に、前記ＭＡＣ−ｃ／ｓｈ／ｍは、ＭＢＭＳ専用の論理チャネルＭＣＣＨとＭＴＣＨがマッピングされるトランスポートチャネルＦＡＣＨを管理する。
【００１９】
ＵＴＲＡＮのＭＡＣ−ｃ／ｓｈ／ｍはＲＮＣに位置し、１セル領域当たり１つのＭＡＣ−ｃ／ｓｈ／ｍが存在する。端末の観点からは、１端末当たり１つのＭＡＣ−ｃ／ｓｈ／ｍが存在する。図４に示すＭＡＣ−ｄサブレイヤ（以下、ＭＡＣ−ｄという）は、専用論理チャネルＤＴＣＨとＤＣＣＨを管理する機能を実行する。
【００２０】
一方、ＲＲＣ層は、図４に示すように、ＭＡＣ制御ＳＡＰ（Ｓｅｒｖｉｃｅ  Ａｃｃｅｓｓ  Ｐｏｉｎｔ）を介してＭＡＣ−ｃ／ｓｈ／ｍやＭＡＣ−ｄなどのＭＡＣエンティティをそれぞれ制御する。ＲＲＣ層とＭＡＣ層は、ＭＡＣ制御ＳＡＰを介して１つ以上のプリミティブ（ｐｒｉｍｉｔｉｖｅ）を交換する。ＭＡＣ制御ＳＡＰを介して交換されるプリミティブは、ＲＲＣ層がＭＡＣ層を制御するために使用されるプリミティブと、ＭＡＣ層がＲＲＣ層に報告するために使用されるプリミティブがあり、それぞれのプリミティブは、ＲＲＣ層又はＭＡＣ層により使用されるパラメータを含む。
【００２１】
図５は、従来のＭＢＭＳ選択結合方式による無線プロトコル構造を示す図であり、複数のセル領域から同一のＭＢＭＳサービスを受信すると、端末は、複数の物理チャネルＳＣＣＰＣＨで同一のＭＢＭＳデータを受信し、前記受信されたＭＢＭＳデータを結合する。ここで、ＭＢＭＳデータを結合する方式としては、選択結合（ｓｅｌｅｃｔｉｖｅ  ｃｏｍｂｉｎｉｎｇ）方式とソフト結合（ｓｏｆｔ  ｃｏｍｂｉｎｉｎｇ）方式がある。
【００２２】
前記ソフト結合方式は、端末（受信側）の物理層がそれぞれ異なる物理チャネルを結合することにより、１つのＭＡＣ−ｃ／ｓｈ／ｍエンティティが受信したデータを処理する。
【００２３】
前記選択結合方式は、図５に示すように、端末が各セル領域に対応する複数のＭＡＣ−ｃ／ｓｈ／ｍエンティティを含み、各ＭＡＣ−ｃ／ｓｈ／ｍエンティティが受信されたＭＢＭＳデータを処理する。また、前記処理された各ＭＡＣ−ｃ／ｓｈ／ｍエンティティのＭＢＭＳデータはＲＬＣ層で結合される。従って、選択結合方式を行うために、端末とＵＴＲＡＮは、各セル領域に対応する複数のＭＡＣ−ｃ／ｓｈ／ｍエンティティを備える必要がある。
【００２４】
現在端末が位置するセル領域（セル）を現在セル（Ｃｕｒｒｅｎｔ  Ｃｅｌｌ）（セル＃１）といい、前記現在セルに隣接するセルを隣接セル（Ｎｅｉｇｈｂｏｒｉｎｇ  Ｃｅｌｌ）（セル＃２）というと仮定すると、従来の選択結合方式は、隣接セル（セル＃２）のための端末のＭＡＣ−ｃ／ｓｈ／ｍ（ＭＡＣ−ｃ／ｓｈ／ｍ＃２）がＭＴＣＨ以外の共用チャネル（Ｃｏｍｍｏｎ  Ｃｈａｎｎｅｌ）を受信するようにする。
【発明の開示】
【発明が解決しようとする課題】
【００２５】
しかしながら、端末が現在セルでないセル（隣接セル）からＭＴＣＨ以外の共用チャネルを受信すること、すなわち、隣接セルから非ＭＢＭＳ（Ｎｏｎ−ＭＢＭＳ）データを受信することは実際には不要な動作であり、このような従来の選択結合方式の不要な受信動作は、システムの効率性を低下させ、通信資源の浪費の原因となる。
【００２６】
従って、本発明の目的は、媒体アクセス制御エンティティ構造を利用する無線通信システムの移動端末において、一対多サービスデータの結合方法を提供することにある。
【００２７】
本発明のさらなる長所及び利点は後述する発明の詳細な説明に一部が記述されており、一部は前記説明により明確になるか、又は、本発明の適用により理解されるであろう。本発明の目的と長所は、特に、発明の詳細な説明及び請求の範囲並びに添付図面に開示された構成により実現及び達成される。
【課題を解決するための手段】
【００２８】
このような目的を達成するために、本発明は、無線通信システムの移動端末における一対多サービスデータの結合方法を提供し、前記方法は、共用チャネルと共有チャネルの少なくとも１つ、及び第１一対多チャネルを処理できる第１媒体アクセス制御エンティティが第１セルの一対多サービスデータを受信及び処理する段階と、第２一対多チャネルのみを処理できる第２媒体アクセス制御エンティティが第２セルから同一の一対多サービスデータを同時に受信及び処理する段階と、前記処理された前記第１セルの一対多サービスデータを前記第１媒体アクセス制御エンティティから無線リンク制御器に提供する段階と、前記処理された前記第２セルの一対多サービスデータを前記第２媒体アクセス制御エンティティから無線リンク制御器に提供する段階と、前記無線リンク制御器が前記処理された第１セルの一対多サービスデータと前記処理された第２セルの一対多サービスデータを結合する段階とを含むことを特徴とする。
【００２９】
好ましくは、前記第１媒体アクセス制御エンティティは、ＭＡＣ−ｃ／ｓｈ／ｍであり、前記第２媒体アクセス制御エンティティは、ＭＡＣ−ｍエンティティである。
【００３０】
一態様において、前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記第２一対多チャネルのみを処理できる前記移動端末の第２媒体アクセス制御エンティティに伝送される。
【００３１】
好ましくは、前記共用チャネルと共有チャネルの少なくとも１つ、及び前記第１一対多チャネルを処理できる前記第１媒体アクセス制御エンティティは、専用チャネルを処理できる第３媒体アクセス制御エンティティに接続され、前記第２一対多チャネルのみを処理できる第２媒体アクセス制御エンティティは、専用チャネルを処理できる前記第３媒体アクセス制御エンティティに接続されない。
【００３２】
他の態様において、前記第３媒体アクセス制御エンティティは、ＭＡＣ−ｄエンティティである。前記第１媒体アクセス制御エンティティは、アップリンクチャネル及びダウンリンクチャネルをサポートでき、前記第２媒体アクセス制御エンティティは、ダウンリンクチャネルをサポートできる。前記第１媒体アクセス制御エンティティは、移動端末ＩＤを処理でき、前記第２媒体アクセス制御エンティティは、移動端末ＩＤを処理できない。
【００３３】
本発明の他の実施形態において、無線通信システムの移動端末において一対多サービスデータを結合する方法は、共用チャネルと共有チャネルの少なくとも１つを処理できる第１媒体アクセス制御エンティティが第１セルの一対多サービスデータを受信及び処理する段階と、第１一対多チャネルのみを処理できる第２媒体アクセス制御エンティティが前記第１セルの一対多サービスデータを受信及び処理する段階と、第２一対多チャネルのみを処理できる第３媒体アクセス制御エンティティが第２セルから同一の一対多サービスデータを同時に受信及び処理する段階と、前記処理された第１セルの一対多サービスデータを前記第２媒体アクセス制御エンティティから無線リンク制御器に提供する段階と、前記処理された第２セルの一対多サービスデータを前記第３媒体アクセス制御エンティティから前記無線リンク制御器に提供する段階と、前記無線リンク制御器が前記処理された第１セルの一対多サービスデータと前記処理された第２セルの一対多サービスデータを結合する段階とを含む。
【００３４】
好ましくは、前記第１媒体アクセス制御エンティティはＭＡＣ−ｃ／ｓｈエンティティであり、前記第２媒体アクセス制御エンティティはＭＡＣ−ｍエンティティであり、前記第３媒体アクセス制御エンティティはＭＡＣ−ｍエンティティである。
【００３５】
一態様において、前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記第２一対多チャネルのみを処理できる前記移動端末の第３媒体アクセス制御エンティティに伝送される。
【００３６】
好ましくは、前記共用チャネルと共有チャネルの少なくとも１つ、及び前記第１一対多チャネルを処理できる前記第１媒体アクセス制御エンティティは、専用チャネルを処理できる第４媒体アクセス制御エンティティに接続され、前記第２媒体アクセス制御エンティティ及び第３媒体アクセス制御エンティティは、専用チャネルを処理できる前記第４媒体アクセス制御エンティティに接続されない。
【００３７】
他の態様において、前記第４媒体アクセス制御エンティティは、ＭＡＣ−ｄである。前記第１媒体アクセス制御エンティティは、アップリンクチャネル及びダウンリンクチャネルをサポートでき、前記第２媒体アクセス制御エンティティ及び第３媒体アクセス制御エンティティは、ダウンリンクチャネルをサポートできる。前記第１媒体アクセス制御エンティティは、移動端末ＩＤを処理でき、前記第２媒体アクセス制御エンティティ及び第３媒体アクセス制御エンティティは、移動端末ＩＤを処理できない。
【００３８】
さらに、本発明の他の実施形態において、無線通信システムの移動端末において一対多サービスデータを結合する方法は、共用チャネルと共有チャネルの少なくとも１つ、及び前記第１一対多チャネルを処理できる第１媒体アクセス制御エンティティが第１セルの一対多サービスデータを受信及び処理する段階と、共用チャネルと共有チャネルの少なくとも１つ、及び前記第２一対多チャネルを処理できる第２媒体アクセス制御エンティティが第２セルから同一の一対多サービスデータを同時に受信及び処理する段階と、前記第２媒体アクセス制御エンティティが前記第２一対多チャネルに処理を制限するための制限命令を受信する段階と、前記制限命令によって前記第２セルからの一対多サービスデータを処理する段階と、前記処理された第１セルの一対多サービスデータを前記第１媒体アクセス制御エンティティから無線リンク制御器に提供する段階と、前記処理された第２セルの一対多サービスデータを前記第２媒体アクセス制御エンティティから前記無線リンク制御器に提供する段階と、前記無線リンク制御器が前記処理された第１セルの一対多サービスデータと前記処理された第２セルの一対多サービスデータを結合する段階とを含む。
【００３９】
好ましくは、前記第１媒体アクセス制御エンティティは、ＭＡＣ−ｃ／ｓｈ／ｍエンティティであり、前記第２媒体アクセス制御エンティティは、ＭＡＣ−ｃ／ｓｈ／ｍエンティティである。
【００４０】
一態様において、前記第２セルからの一対多サービスデータは、ネットワーク共用チャネルとネットワーク共有チャネルの少なくとも１つ、及び前記第２一対多チャネルを処理できるネットワークの媒体アクセス制御エンティティから、前記共用チャネルと共有チャネルの少なくとも１つ、及び前記第２一対多チャネルを処理できる前記移動端末の第２媒体アクセス制御エンティティに伝送される。
【００４１】
好ましくは、共用チャネルと共有チャネルの少なくとも１つ、及び前記第１一対多チャネルを処理できる前記第１媒体アクセス制御エンティティは、専用チャネルを処理できる第３媒体アクセス制御エンティティに接続され、共用チャネルと共有チャネルの少なくとも１つ、及び前記第２一対多チャネルを処理できる前記第２媒体アクセス制御エンティティは、専用チャネルを処理できる前記第３媒体アクセス制御エンティティに接続されない。
【００４２】
他の態様において、前記第３媒体アクセス制御エンティティは、ＭＡＣ−ｄエンティティである。前記第１媒体アクセス制御エンティティは、アップリンクチャネル及びダウンリンクチャネルをサポートでき、前記第２媒体アクセス制御エンティティは、ダウンリンクチャネルをサポートできる。前記第１媒体アクセス制御エンティティは、移動端末ＩＤを処理でき、前記第２媒体アクセス制御エンティティは、移動端末ＩＤを処理できない。
【００４３】
さらに、本発明の他の実施形態において、無線通信システムの移動端末において一対多サービスデータを結合する方法は、共用チャネルと共有チャネルの少なくとも１つ、及び一対多チャネルを処理できる媒体アクセス制御エンティティが第１セルの一対多サービスデータを受信及び処理する段階と、前記媒体アクセス制御エンティティが第２セルから同一の一対多サービスデータを同時に受信及び処理する段階と、前記媒体アクセス制御エンティティが前記第２セルの一対多サービスデータに対する処理を前記一対多チャネルに制限するための制限命令を受信する段階と、前記制限命令によって前記第２セルからの一対多サービスデータを処理する段階と、前記処理された第１セルの一対多サービスデータを無線リンク制御器に提供する段階と、前記処理された第２セルの一対多サービスデータを前記無線リンク制御器に提供する段階と、前記無線リンク制御器が前記処理された第１セルの一対多サービスデータと前記処理された第２セルの一対多サービスデータとを結合する段階とを含む。
【００４４】
好ましくは、前記媒体アクセス制御エンティティは、ＭＡＣ−ｃ／ｓｈ／ｍエンティティである。
【００４５】
一態様において、前記第２セルからの一対多サービスデータは、ネットワーク共用チャネルとネットワーク共有チャネルの少なくとも１つ、及び一対多チャネルを処理できるネットワークの媒体アクセス制御エンティティから、前記共用チャネルと共有チャネルの少なくとも１つ、及び前記一対多チャネルを処理できる前記移動端末の媒体アクセス制御エンティティに伝送される。
【００４６】
好ましくは、前記共用チャネルと共有チャネルの少なくとも１つ、及び前記第１一対多チャネルを処理できる媒体アクセス制御エンティティは、専用チャネルを処理できる第２媒体アクセス制御エンティティに接続される。
【００４７】
他の態様において、前記第２媒体アクセス制御エンティティは、ＭＡＣ−ｄエンティティである。前記媒体アクセス制御エンティティは、アップリンクチャネル及びダウンリンクチャネルをサポートできる。または、前記媒体アクセス制御エンティティは、ダウンリンクチャネルをサポートできる。前記媒体アクセス制御エンティティは、移動端末ＩＤを処理できる。または、記媒体アクセス制御エンティティは、移動端末ＩＤを処理できない。
【００４８】
さらに、本発明の他の実施形態において、無線通信システムにおける一対多サービスデータ伝送方法は、第１一対多チャネルを処理できる第１媒体アクセス制御エンティティを介して第１セルの一対多サービスデータを伝送する段階と、第２一対多チャネルを処理できる第２媒体アクセス制御エンティティを介して第２セルから同一の一対多サービスデータを同時に伝送する段階とを含む。前記第１媒体アクセス制御エンティティ及び第２媒体アクセス制御エンティティは、ＭＡＣ−ｍエンティティである。
【００４９】
さらに、本発明の他の実施形態において、無線通信システムの一対多サービスデータの結合のための移動端末は、共用チャネルと共有チャネルの少なくとも１つ、及び前記第１一対多チャネルを処理できる第１媒体アクセス制御エンティティが第１セルの一対多サービスデータを受信及び処理するための手段と、第２一対多チャネルのみを処理できる第２媒体アクセス制御エンティティが第２セルから同一の一対多サービスデータを同時に受信及び処理するための手段と、前記処理された第１セルの一対多サービスデータを前記第１媒体アクセス制御エンティティから無線リンク制御器に提供するための手段と、前記処理された第２セル（隣接セル）の一対多サービスデータを前記第２媒体アクセス制御エンティティから前記無線リンク制御器に提供するための手段と、前記無線リンク制御器が前記処理された第１セルの一対多サービスデータと前記処理された第２セルの一対多サービスデータとを結合するための手段とを含む。
【００５０】
さらに、本発明の他の実施形態において、無線通信システムにおいて一対多サービスデータを結合するための移動端末は、共用チャネルと共有チャネルの少なくとも１つを処理できる第１媒体アクセス制御エンティティが第１セルの一対多サービスデータを受信及び処理するための手段と、第１一対多チャネルのみを処理できる第２媒体アクセス制御エンティティが前記第１セルの一対多サービスデータを受信及び処理するための手段と、第２一対多チャネルのみを処理できる第３媒体アクセス制御エンティティが第２セルから同一の一対多サービスデータを同時に受信及び処理するための手段と、前記処理された第１セルの一対多サービスデータを前記第２媒体アクセス制御エンティティから無線リンク制御器に提供するための手段と、前記処理された第２セルの一対多サービスデータを前記第３媒体アクセス制御エンティティから前記無線リンク制御器に提供するための手段と、前記無線リンク制御器が前記処理された第１セルの一対多サービスデータと前記処理された第２セルの一対多サービスデータとを結合するための手段とを含む。
【００５１】
さらに、本発明の他の実施形態において、無線通信システムにおいて一対多サービスデータを結合するための移動端末は、共用チャネルと共有チャネルの少なくとも１つ、及び前記第１一対多チャネルを処理できる第１媒体アクセス制御エンティティが第１セルの一対多サービスデータを受信及び処理するための手段と、共用チャネルと共有チャネルの少なくとも１つ、及び前記第２一対多チャネルを処理できる第２媒体アクセス制御エンティティが第２セルから同一の一対多サービスデータを受信及び処理するための手段と、前記第２媒体アクセス制御エンティティが前記第２一対多チャネルに処理を制限するための制限命令を受信するための手段と、前記制限命令によって前記第２セルからの一対多サービスデータを処理するための手段と、前記処理された第１セルの一対多サービスデータを前記第１媒体アクセス制御エンティティから無線リンク制御器に提供するための手段と、前記処理された第２セルの一対多サービスデータを前記第２媒体アクセス制御エンティティから前記無線リンク制御器に提供するための手段と、前記無線リンク制御器が前記処理された第１セルの一対多サービスデータと前記処理された第２セルの一対多サービスデータとを結合するための手段とを含む。
【００５２】
さらに、本発明の他の実施形態において、無線通信システムにおいて一対多サービスデータの結合するための移動端末は、共用チャネルと共有チャネルの少なくとも１つ、及び一対多チャネルを処理できる媒体アクセス制御エンティティが第１セルの一対多サービスデータを受信及び処理するための手段と、前記媒体アクセス制御エンティティが第２セルから同一の一対多サービスデータを同時に受信及び処理するための手段と、前記媒体アクセス制御エンティティが前記第２セルの一対多サービスデータに対する処理を前記一対多チャネルに制限するための制限命令を受信するための手段と、前記制限命令によって前記第２セルからの一対多サービスデータを処理するための手段と、前記処理された第１セルの一対多サービスデータを無線リンク制御器に提供するための手段と、前記処理された第２セルの一対多サービスデータを無線リンク制御器に提供するための手段と、前記無線リンク制御器が前記処理された第１セルの一対多サービスデータと前記処理された第２セルの一対多サービスデータとを結合するための手段とを含む。
【００５３】
下記の本発明の一般的な記載及び詳細な記載は例示的であり、請求項に指摘された本発明のさらなる説明のために提供されたものである。
【発明の効果】
【００５４】
本発明のＭＢＭＳ受信方法は、次のような利点を有する。端末のＭＡＣ層が複数の隣接セルからＭＢＭＳデータを受信した場合、前記隣接セルから受信された非ＭＢＭＳデータは廃棄される。従って、異なるセルから同時にＭＢＭＳデータを受信する場合、移動端末が不要な動作を行わなくてもよい。従って、移動端末がＭＢＭＳサービスを効果的に受信することができる。
【発明を実施するための最良の形態】
【００５５】
本発明は、無線通信システムの受信側において一対多サービスデータを結合する装置及び方法に関する。
【００５６】
本発明の好ましい実施形態において、受信側（すなわち、移動端末）のＭＡＣ層はＭＡＣエンティティを含む。前記ＭＡＣエンティティは、特定セルに対するＭＢＭＳを受信して近隣（隣接）セルから受信したデータが前記ＭＢＭＳに関連しているか否かを確認する。前記受信されたデータがＭＢＭＳに関連していない場合、前記ＭＡＣエンティティは、前記受信された非ＭＢＭＳデータを廃棄する。
【００５７】
好ましくは、前記端末のＭＡＣ層は、１つのセルに１つのＭＡＣエンティティを含む。前記端末のＲＲＣは、端末のＭＡＣエンティティが現在セルに関連しているか隣接セルに関連しているかを示す。前記端末のＲＲＣが特定ＭＡＣエンティティが隣接セルに関連していると示し、前記特定ＭＡＣエンティティがＭＢＭＳに関連していないデータを受信した場合、前記受信された非ＭＢＭＳデータは廃棄される。
【００５８】
本発明の好ましい実施形態において、現在セルの共用チャネルを受信するＭＡＣエンティティの場合、ＭＢＭＳを受信するための端末は、ＭＢＭＳのための共用チャネルを管理するＭＡＣエンティティとその他の共用チャネルを管理するＭＡＣエンティティを区分して備える。
【００５９】
好ましくは、隣接セルからＭＢＭＳを受信する端末の場合、端末内のＭＡＣエンティティは、各セル毎に提供されて前記隣接セルの共用チャネルを受信する。好ましくは、前記隣接セルの共用チャネルを受信する前記端末のＭＡＣエンティティは、隣接セルから受信したデータがＭＢＭＳに関連しているか否かを確認する。前記データがＭＢＭＳに関連していない場合、前記受信された非ＭＢＭＳデータは廃棄される。
【００６０】
また、好ましくは、端末のＲＲＣは、端末のＭＡＣエンティティが現在セルに関連しているか隣接セルに関連しているかを示す。前記端末のＲＲＣが、特定ＭＡＣエンティティが隣接セルに関連していると示し、前記特定ＭＡＣエンティティがＭＢＭＳに関連していないデータを受信した場合、前記受信された非ＭＢＭＳデータは廃棄される。
【００６１】
本発明の好ましい実施形態において、端末は、物理層の上位に特定物理チャネルに関連した１つ以上の上位層エンティティを備え、前記物理層が前記物理チャネルからデータを受信する。端末は、前記受信されたデータを解釈した後、前記解釈されたデータを受信するための上位層エンティティを決定し、その決定された上位層エンティティに前記解釈されたデータを伝送する。
【００６２】
好ましくは、前記上位層はＭＡＣ層である。また、１つの物理層に関連した１つ以上の上位層エンティティは、ＭＢＭＳに対する共用チャネルを受信するＭＡＣ層のエンティティと、その他の共用チャネルを受信するＭＡＣ層のエンティティである。好ましくは、前記端末の物理層は、１つの物理チャネルから受信したデータを解釈し、前記受信されたデータをＭＢＭＳに対する共用チャネルを受信するＭＡＣ層エンティティに伝送するか、その他の共用チャネルを受信するＭＡＣ層エンティティに伝送するかを決定する。その後、前記端末の物理層は、前記受信されたデータを前記決定されたＭＡＣ層エンティティに接続した該当トランスポートチャネルで前記決定されたＭＡＣ層エンティティに伝送する。
【００６３】
図６〜図９は、本発明の好ましい実施形態によるＭＢＭＳ選択結合方式のための無線プロトコル構造を示す図である。以下、図６〜図９を参照して前記好ましい実施形態を説明する。
【００６４】
好ましくは、本発明による端末は、ＵＴＲＡＮからＭＢＭＳサービスと非ＭＢＭＳサービスを全て受信する。前記ＭＢＭＳサービスとは、一対多無線ベアラを利用するデータ伝送に関するサービスであり、非ＭＢＭＳサービスとは、専用チャネルや共用チャネルでＲＲＣメッセージのような制御情報を伝送するサービス、専用チャネルで特定端末にデータを伝送するサービス、又は共用チャネルでユーザデータを伝送するサービスである。
【００６５】
図示されたように、非ＭＢＭＳサービスは、ＲＬＣ＃０エンティティ及びＵＴＲＡＮのＭＡＣ−ｃ／ｓｈ／ｍエンティティで処理され、物理チャネルＳＣＣＰＣＨ＃１でセル＃１から端末に伝送される。ここで、前記セル＃１は、現在セルである。好ましくは、前記非ＭＢＭＳサービスは、伝送中に論理チャネルＣＣＣＨとトランスポートチャネルＦＡＣＨ＃０を使用するＲＲＣメッセージである。また、前記非ＭＢＭＳサービスの種類によって、ＤＣＣＨ、ＤＴＣＨ、ＣＴＣＨ、ＢＣＣＨ、ＰＣＣＨなどのその他の論理チャネルが前記非ＭＢＭＳサービスの伝送に使用される。例えば、論理チャネルとしてＰＣＣＨが使用されると、トランスポートチャネルとしてＰＣＨが使用される。
【００６６】
図６〜図９に示すように、ＵＴＲＡＮは、セル＃１とセル＃２を介して同一のＭＢＭＳサービスを移動端末に提供することが好ましい。前記ＵＴＲＡＮは、前記ＭＢＭＳのためにＰＤＣＰエンティティ及びＲＬＣ＃１を備える。また、セル＃１のためにＭＡＣ−ｃ／ｓｈ／ｍ＃１を備え、セル＃２のためにＭＡＣ−ｃ／ｓｈ／ｍ＃２を備える。ＭＡＣ−ｃ／ｓｈ／ｍ＃１及びＭＡＣ−ｃ／ｓｈ／ｍ＃２は、同一のＲＬＣエンティティ（ＲＬＣ＃１）からＭＢＭＳサービスに対するＲＬＣ  ＰＤＵを受信し、ＭＢＭＳを有するＲＬＣ  ＰＤＵは、異なるセルにより端末に提供される。前記ＭＢＭＳデータは、各セルに存在する物理チャネルで伝送される。
【００６７】
一般的に、ＭＢＭＳ選択結合方式において、端末は、複数のセルから複数のＭＴＣＨで伝送された同一のＭＢＭＳデータを結合する。しかし、説明の便宜のために、本発明の図面では、２つのセルから２つのＭＴＣＨで伝送された同一のＭＢＭＳデータを結合する方法について説明する。しかし、本発明は、２つ以上のセルから２つ以上のＭＴＣＨで伝送された同一のＭＢＭＳデータを結合する方法も提供する。
【００６８】
従って、図６〜図９に示す端末は、論理チャネルＭＴＣＨ＃１、トランスポートチャネルＦＡＣＨ＃１、及び物理チャネルＳＣＣＰＣＨ＃１でセル＃１から特定ＭＢＭＳサービスを受信し、論理チャネルＭＴＣＨ＃２、トランスポートチャネルＦＡＣＨ＃２、及び物理チャネルＳＣＣＰＣＨ＃２でセル＃２から同一の特定ＭＢＭＳサービスを受信する。また、端末のＲＬＣエンティティ（ＲＬＣ＃１）は、前記ＭＴＣＨ＃１とＭＴＣＨ＃２で受信したＭＢＭＳデータを選択結合する。
【００６９】
図６は、本発明の第１実施形態によるＭＢＭＳデータに対する選択結合方式を示す図であり、移動端末は、現在セル（セル＃１）のために共用チャネル用ＭＡＣエンティティ（ＭＡＣ−ｃ／ｓｈ）とＭＢＭＳ専用ＭＡＣエンティティ（ＭＡＣ−ｍ）にＭＡＣを区分して備え、隣接セル（セル＃２）のためにはＭＢＭＳ専用ＭＡＣエンティティ（ＭＡＣ−ｍ）のみを備える。１つ以上の隣接セルからＭＴＣＨを受信する場合、端末は、ＭＴＣＨを伝送する１つの隣接セルに１つのＭＡＣ−ｍエンティティを備える。
【００７０】
好ましくは、前記移動端末は、非ＭＢＭＳサービスのために現在セルであるセル＃１に対して１つのＭＡＣ−ｃ／ｓｈエンティティを備え、特定ＭＢＭＳサービスを伝送する各セル毎に１つのＭＡＣ−ｍエンティティを備える。前記セル＃１において、前記ＭＡＣ−ｃ／ｓｈエンティティは、共用チャネルの受信を担当し、ＭＡＣ−ｍ＃１は、ＭＴＣＨがマッピングされたＦＡＣＨの受信を担当する。しかし、一般的に、前記ＭＴＣＨがマッピングされたＦＡＣＨは、前記ＭＡＣ−ｃ／ｓｈエンティティ又はＭＡＣ−ｍ＃１エンティティにより管理される。
【００７１】
移動端末の物理層がセル＃１からＳＣＣＰＣＨ＃１でデータを受信する場合、前記データがＦＡＣＨ＃０に該当すると、前記物理層は、前記ＭＡＣ−ｃ／ｓｈエンティティに前記データを伝送する。前記受信されたデータがＦＡＣＨ＃１に該当する場合、前記物理層は、前記データをＭＡＣ−ｍ＃１エンティティに伝送する。また、端末の物理層がＳＣＣＰＣＨ＃２でセル＃２からデータを受信する場合、前記受信されたデータがＦＡＣＨ＃２に該当すると、前記物理層は、前記データをＭＡＣ−ｍ＃２エンティティに伝送する。
【００７２】
前記ＭＡＣ−ｍ＃１エンティティは、前記ＦＡＣＨ＃１からＭＴＣＨ＃１に該当するデータを抽出する。前記ＭＡＣ−ｍ＃２エンティティは、ＦＡＣＨ＃２からＭＴＣＨ＃２に該当するデータを抽出する。前記ＭＡＣ−ｍ＃１とＭＡＣ−ｍ＃２は、前記受信されたデータをそれぞれのＭＴＣＨ＃１とＭＴＣＨ＃２で前記ＲＬＣ＃１に伝送する。前記ＲＬＣ＃１において、前記ＭＴＣＨ＃１とＭＴＣＨ＃２から受信されたデータが選択結合される。
【００７３】
図７は、本発明の第２実施形態によるＭＢＭＳデータに対する選択結合方式を示す図であり、移動端末は、現在セルであるセル＃１のために共用チャネル及びＭＢＭＳを管理する１つのＭＡＣ−ｃ／ｓｈ／ｍを備え、隣接セルであるセル＃２のためにＭＢＭＳ用ＭＡＣエンティティ（ＭＡＣ−ｍ）を備える。１つ以上の隣接セルからＭＴＣＨを受信する場合、前記移動端末は、ＭＴＣＨを伝送する１つの隣接セルに１つのＭＡＣ−ｍエンティティを備える。
【００７４】
好ましくは、前記移動端末は、現在セル（セル＃１）のために１つのＭＡＣ−ｃ／ｓｈ／ｍエンティティを備える。前記セル＃１において、前記ＭＡＣ−ｃ／ｓｈ／ｍエンティティは、ＭＴＣＨがマッピングされるＦＡＣＨの受信、ＭＣＣＨがマッピングされるＦＡＣＨの受信、及びＣＣＣＨがマッピングされるＦＡＣＨの受信を担当する。
【００７５】
移動端末の物理層がセル＃１からＳＣＣＰＣＨ＃１でデータを受信する場合、前記データがＦＡＣＨ＃０やＦＡＣＨ＃１に該当すると、前記物理層は、前記データをＭＡＣ−ｃ／ｓｈ／ｍ層に伝送する。また、前記移動端末の物理層がセル＃２からＳＣＣＰＣＨ＃２でデータを受信する場合、前記受信されたデータがＦＡＣＨ＃２に該当すると、前記物理層は、前記データをＭＡＣ−ｍエンティティに伝送する。
【００７６】
前記ＭＡＣ−ｃ／ｓｈ／ｍエンティティは、ＦＡＣＨ＃１からＭＴＣＨ＃１に該当するデータを抽出し、前記ＭＡＣ−ｍエンティティは、ＦＡＣＨ＃２からＭＴＣＨ＃２に該当するデータを抽出する。前記ＭＡＣ−ｃ／ｓｈ／ｍエンティティとＭＡＣ−ｍエンティティは、それぞれＭＴＣＨ＃１とＭＴＣＨ＃２で前記受信されたデータをＲＬＣ＃１に伝送する。その後、前記ＲＬＣ＃１は、ＭＴＣＨ＃１とＭＴＣＨ＃２から受信されたデータを選択結合する。
【００７７】
図８は、本発明の第３実施形態によるＭＢＭＳデータに対する選択結合方式を示す図であり、移動端末は、現在セル（セル＃１）のために共用チャネル及びＭＢＭＳを管理する１つのＭＡＣ−ｃ／ｓｈ／ｍエンティティを備え、隣接セル（セル＃２）のためにＭＡＣ−ｃ／ｓｈ／ｍエンティティを備える。１つ以上の隣接セルからＭＴＣＨを受信する場合、前記移動端末は、前記ＭＴＣＨを伝送する１つの隣接セルに１つのＭＡＣ−ｃ／ｓｈ／ｍエンティティを備える。この実施形態では、隣接セルに対するＭＡＣ−ｃ／ｓｈ／ｍエンティティをＭＢＭＳのための専用として使用できるように、前記隣接セルに対するＭＡＣ−ｃ／ｓｈ／ｍエンティティの機能を制限することが好ましい。従って、前記移動端末のＲＲＣは、前記隣接セルに対するＭＡＣ−ｃ／ｓｈ／ｍエンティティの機能を制限する役割を果たす。
【００７８】
好ましくは、前記移動端末は、現在セル（セル＃１）のために１つのＭＡＣ−ｃ／ｓｈ／ｍ＃１エンティティを備え、前記セル＃１において、前記ＭＡＣ−ｃ／ｓｈ／ｍ＃１エンティティは、ＭＴＣＨがマッピングされるＦＡＣＨの受信、ＭＣＣＨがマッピングされるＦＡＣＨの受信、及びＣＣＣＨがマッピングされるＦＡＣＨの受信を管理する。
【００７９】
前記移動端末の物理層がＳＣＣＰＣＨ＃１でセル＃１からデータを受信する場合、前記データがＦＡＣＨ＃０やＦＡＣＨ＃１に該当すると、前記物理層は、前記データをＭＡＣ−ｃ／ｓｈ／ｍ＃１エンティティに伝送する。また、前記移動端末の物理層がＳＣＣＰＣＨ＃２でセル＃２からデータを受信する場合、前記受信されたデータがＦＡＣＨ＃２に該当すると、前記物理層は、前記データをＭＡＣ−ｃ／ｓｈ／ｍ＃２エンティティに伝送する。
【００８０】
前記ＭＡＣ−ｃ／ｓｈ／ｍ＃１エンティティは、ＦＡＣＨ＃１からＭＴＣＨ＃１に該当するデータを抽出し、ＭＡＣ−ｃ／ｓｈ／ｍ＃２エンティティは、ＦＡＣＨ＃２からＭＴＣＨ＃２に該当するデータを抽出する。前記ＭＡＣ−ｃ／ｓｈ／ｍ＃１エンティティとＭＡＣ−ｃ／ｓｈ／ｍ＃２エンティティは、前記受信されたデータをそれぞれＭＴＣＨ＃１とＭＴＣＨ＃２でＲＬＣ＃１に伝送する。前記ＲＬＣ＃１において、前記ＭＴＣＨ＃１とＭＴＣＨ＃２で受信されたデータは選択結合される。
【００８１】
前記移動端末が複数のＭＡＣ−ｃ／ｓｈ／ｍエンティティを備える場合、前記移動端末のＲＲＣは、現在セルのＭＡＣ−ｃ／ｓｈ／ｍ＃１エンティティと隣接セルのＭＡＣ−ｃ／ｓｈ／ｍ＃２エンティティを区別するために、移動端末情報を前記ＭＡＣ−ｃ／ｓｈ／ｍエンティティに伝送することが好ましい。前記区別情報は、ＭＡＣ制御ＳＡＰを通過するプリミティブを利用して伝送される。また、前記移動端末のＲＲＣは、前記移動端末のＭＡＣ−ｃ／ｓｈ／ｍ＃２エンティティに前記ＭＡＣ−ｃ／ｓｈ／ｍ＃２エンティティの機能を制限するための命令を伝送する。好ましくは、ＭＡＣ−ｃ／ｓｈ／ｍ＃２エンティティの機能は、前記ＭＡＣ制御ＳＡＰを通過したプリミティブを利用して「ＭＩＣＨ受信」又は「ＭＴＣＨ／ＭＣＣＨ受信」に制限される。
【００８２】
前記隣接セルに対するＭＡＣ−ｃ／ｓｈ／ｍエンティティ、すなわち、ＭＡＣ−ｃ／ｓｈ／ｍ＃２エンティティが前記制限命令を受信すると、前記ＭＡＣ−ｃ／ｓｈ／ｍ＃２エンティティは、ＭＴＣＨのみを受信する。従って、ＭＴＣＨを除いた論理チャネルが前記隣接セルから受信されたトランスポートチャネルにマッピングされる場合、前記受信されたデータがＭＴＣＨに該当しないと、前記ＭＡＣ−ｃ／ｓｈ／ｍ＃２エンティティは、前記受信されたデータを廃棄する。
【００８３】
好ましくは、前記ＭＡＣ−ｃ／ｓｈ／ｍ＃２エンティティは、前記ＭＴＣＨと共に前記セル＃２のＭＣＣＨを受信することができる。これにより、前記受信されたデータがＭＴＣＨにもＭＣＣＨにも該当しない場合、前記ＭＡＣ−ｃ／ｓｈ／ｍ＃２エンティティは、前記受信されたデータを廃棄する。
【００８４】
図９は、本発明の第４実施形態によるＭＢＭＳデータに対する選択結合方式を示す図であり、移動端末は、非ＭＢＭＳのための共用チャネル及びＭＢＭＳのための共用チャネルを管理する１つのＭＡＣ−ｃ／ｓｈ／ｍエンティティを備える。前記ＭＡＣ−ｃ／ｓｈ／ｍエンティティは、現在セルであるセル＃１と隣接セルであるセル＃２に対して共通に使用される。前記ＭＡＣ−ｃ／ｓｈ／ｍエンティティは、隣接セルのチャネル受信に対してＭＢＭＳ専用で使用されるように、その機能が制限される。従って、前記移動端末のＲＲＣは、前記ＭＡＣ−ｃ／ｓｈ／ｍエンティティの機能を制限する役割を果たす。
【００８５】
好ましくは、前記移動端末は、セル数と関係なく１つのみのＭＡＣ−ｃ／ｓｈ／ｍエンティティを備える。セル＃１の場合、前記ＭＡＣ−ｃ／ｓｈ／ｍエンティティは、ＭＴＣＨがマッピングされるＦＡＣＨの受信、ＭＣＣＨがマッピングされるＦＡＣＨの受信、及び残りの共用チャネルの受信を担当する。
【００８６】
前記移動端末の物理層がＳＣＣＰＣＨ＃１でセル＃１からデータを受信する場合、前記データがＦＡＣＨ＃０又はＦＡＣＨ＃１に該当すると、前記物理層は、前記データを前記ＭＡＣ−ｃ／ｓｈ／ｍエンティティに伝送する。また、前記移動端末の物理層がＳＣＣＰＣＨ＃２でセル＃２からデータを受信する場合、前記データがＦＡＣＨ＃２に該当すると、前記物理層は、前記データを前記ＭＡＣ−ｃ／ｓｈ／ｍエンティティに伝送する。
【００８７】
前記ＭＡＣ−ｃ／ｓｈ／ｍエンティティは、ＦＡＣＨ＃１からＭＴＣＨ＃１に該当するデータを抽出し、ＦＡＣＨ＃２からＭＴＣＨ＃２に該当するデータを抽出する。前記ＭＡＣ−ｃ／ｓｈ／ｍエンティティは、同一のＭＢＭＳのために前記ＭＴＣＨ＃１とＭＴＣＨ＃２でＲＬＣ＃１に前記受信されたデータを伝送し、ＲＬＣ＃１は、前記ＭＴＣＨ＃１とＭＴＣＨ＃２から受信したデータを選択結合する。
【００８８】
前記移動端末のＲＲＣは、前記隣接セルに対して前記ＭＡＣ−ｃ／ｓｈ／ｍエンティティの機能を制限するための命令を前記移動端末のＭＡＣ−ｃ／ｓｈ／ｍエンティティに伝送する。好ましくは、隣接セルに対する前記移動端末のＭＡＣ−ｃ／ｓｈ／ｍエンティティの機能は、「ＭＩＣＨ受信」又は「ＭＴＣＨ／ＭＣＣＨ受信」に制限される。前記機能は、ＭＡＣ制御ＳＡＰを通過したプリミティブを利用して制限される。
【００８９】
前記制限命令を受信すると、前記ＭＡＣ−ｃ／ｓｈ／ｍエンティティが前記隣接セルに対してＭＴＣＨのみを受信する。従って、隣接セルから受信したトランスポートチャネルにＭＴＣＨ以外の論理チャネルがマッピングされる場合、受信されたデータが前記ＭＴＣＨに該当しないと、前記ＭＡＣ−ｃ／ｓｈ／ｍエンティティは、受信したデータを廃棄する。
【００９０】
好ましくは、前記ＭＡＣ−ｃ／ｓｈ／ｍエンティティは、隣接セルに対してＭＴＣＨと共にＭＣＣＨを受信することができる。これにより、前記受信したデータがＭＴＣＨにもＭＣＣＨにも該当しない場合、前記ＭＡＣ−ｃ／ｓｈ／ｍエンティティは、前記受信されたデータを廃棄する。
【００９１】
図１０は、本発明の好ましい実施形態によるネットワークの無線プロトコル層を示す図である。好ましくは、前記構造は、ＵＴＲＡＮに適用され、本発明の好ましい実施形態による全てのＵＴＲＡＮにも適用できる。
【００９２】
図１０に示すように、ＭＡＣ−ｃ／ｓｈ＃１エンティティは、ＲＮＣにおいてＭＢＭＳを除いたセル＃１の共用チャネルを担当し、ＭＡＣ−ｍ＃１エンティティは、ＲＮＣにおいてセル＃１のＭＴＣＨチャネルを担当する。また、ＭＡＣ−ｃ／ｓｈ＃２エンティティは、ＲＮＣにおいてＭＢＭＳを除いたセル＃２の共用チャネルを担当し、ＭＡＣ−ｍ＃２エンティティは、ＲＮＣにおいてセル＃２のＭＴＣＨチャネルを担当する。各セルにおいて、ＭＡＣ−ｃ／ｓｈエンティティ又はＭＡＣ−ｍエンティティがＭＣＣＨを担当する。
【００９３】
図１１は、本発明の好ましい実施形態によるＭＡＣエンティティの接続性を示す図であり、図１１に示すように、ＭＡＣ−ｃ／ｓｈ／ｍエンティティは、トランスポートチャネルＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ）を除いた全ての共用トランスポートチャネルへの接続を制御する。ＭＡＣ−ｄエンティティは、全ての専用トランスポートチャネルへの接続、並びにＭＡＣ−ｃ／ｓｈ／ｍエンティティ及びＭＡＣ−ｈｓエンティティへの接続を制御する。前記ＭＡＣ−ｈｓエンティティは、前記ＨＳ−ＤＳＣＨトランスポートチャネルへの接続を制御し、各ＭＡＣエンティティに制御情報を伝送するためにＭＡＣ制御ＳＡＰを利用する。
【００９４】
好ましくは、複数のセルからのＭＴＣＨチャネルが選択結合されると、ＭＡＣ−ｍエンティティは、ＭＴＣＨ及びＭＳＣＨを伝送するために使用されるＦＡＣＨトランスポートチャネルへの接続を制御する。ダウンリンクにおいて、専用論理チャネルが共用トランスポートチャネルにマッピングされると、前記ＭＡＣ−ｄエンティティは、ＭＡＣ−ｃ／ｓｈ／ｍエンティティ又はＭＡＣ−ｈｓエンティティからデータを受信する。アップリンクにおいて、専用論理チャネルが共用トランスポートチャネルにマッピングされると、前記ＭＡＣ−ｄエンティティは前記ＭＡＣ−ｃ／ｓｈ／ｍエンティティにデータを伝送する。
【００９５】
前述したように、前記ＭＡＣ−ｃ／ｓｈ／ｍエンティティは、ＭＡＣ−ｄエンティティに接続されてアップリンクチャネル及びダウンリンクチャネルをサポートする。それに対して、前記ＭＡＣ−ｍエンティティは、前記ＭＡＣ−ｄエンティティに接続されずにダウンリンクチャネルのみをサポートする。また、前記ＭＡＣ−ｃ／ｓｈ／ｍエンティティは、移動端末識別子（すなわち、ＵＥ  ＩＤ）を処理できるが、ＭＡＣ−ｍエンティティは移動端末識別子を処理できない。
【００９６】
図１２は、本発明の好ましい実施形態による移動端末に対するＭＡＣ−ｍエンティティを示す図であり、図に示すように、前記ＭＡＣ−ｍエンティティは、ＭＡＣヘッダ内のＴＣＴＦ（Ｔａｒｇｅｔ  Ｃｈａｎｎｅｌ  Ｔｙｐｅ  Ｆｉｅｌｄ）フィールドを管理するためのＴＣＴＦ  ＤＥＭＵＸを備える。好ましくは、前記ＴＣＴＦ  ＤＥＭＵＸは、前記ＴＣＴＦフィールドのダウンリンクチャネルに対する検出及び削除機能を担当する。前記ＴＣＴＦ  ＤＥＭＵＸは、また、論理チャネルとトランスポートチャネル間のそれぞれのマッピングを表す。前記ＴＣＴＦフィールドは、共用論理チャネルのタイプを示す。
【００９７】
ＭＴＣＨを受信した場合、ＭＡＣ−ｍエンティティは、ＭＢＭＳ  ＩＤを読み出す。前記ＭＢＭＳ  ＩＤは、ＭＢＭＳサービスに対する受信されたデータを識別する。ＭＡＣ制御ＳＡＰは、ＭＡＣ−ｍエンティティに制御情報を伝送するために使用される。好ましくは、ＭＴＣＨチャネルが選択的に結合されると、前記ＭＡＣ−ｍエンティティは、移動端末内に存在する。その他の場合、前記ＭＡＣ−ｍエンティティは存在しない。また、ＭＴＣＨチャネルが複数のセルから選択的に結合された場合、移動端末内には現在セルに対して１つのＭＡＣ−ｃ／ｓｈ／ｍエンティティが存在し、隣接セルに対して１つのＭＡＣ−ｍエンティティが存在する。
【００９８】
本発明は、無線通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲を特定無線通信システムに限定するものではない。本発明は、さらに、ＴＤＭＡ、ＣＤＭＡ、ＦＤＭＡ、ＷＣＤＭＡなどの他の無線インタフェース及び／又は他の物理層を使用する他の無線通信システムにも適用できる。
【００９９】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【０１００】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【０１０１】
本発明の精神や重要な特性から外れないように多様な形態で本発明を実現することにより、前述した実施形態のいずれの細部の記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【０１０２】
発明の理解を容易にするために添付され、本明細書の一部を構成する図面は、発明の多様な実施形態を示し、明細書と共に発明の原理を説明するためのものである。
【図１】一般的なＵＭＴＳネットワークの構成図である。
【図２】ＵＭＴＳ無線プロトコルの構造を示す図である。
【図３】従来のＭＢＭＳに対する端末のチャネルマッピングを示す図である。
【図４】一対多サービスを提供する端末及びネットワークのＭＡＣ層の従来の構造を示す図である。
【図５】一対多サービスに対する従来の選択結合方式による無線プロトコル構造を示す図である。
【図６】本発明の第１実施形態による一対多サービスに対する選択結合方式を示す図である。
【図７】本発明の第２実施形態による一対多サービスに対する選択結合方式を示す図である。
【図８】本発明の第３実施形態による一対多サービスに対する選択結合方式を示す図である。
【図９】本発明の第４実施形態による一対多サービスに対する選択結合方式を示す図である。
【図１０】本発明の好ましい実施形態によるネットワークの無線プロトコル構造を示す図である。
【図１１】本発明の好ましい実施形態によるＭＡＣエンティティの接続性を示す図である。
【図１２】本発明の好ましい実施形態による移動端末に対するＭＡＣ−ｍエンティティを示す図である。
【図１】
2008503173.tif 000003
【図２】
2008503173.tif 000004
【図３】
2008503173.tif 000005
【図４】
2008503173.tif 000006
【図５】
2008503173.tif 000007
【図６】
2008503173.tif 000008
【図７】
2008503173.tif 000009
【図８】
2008503173.tif 000010
【図９】
2008503173.tif 000011
【図１０】
2008503173.tif 000012
【図１１】
2008503173.tif 000013
【図１２】
2008503173.tif 000014
【国際調査報告】
2008503173.tif 000015
2008503173.tif 000016
2008503173.tif 000017